(57)【要約】【課題】製造コストが抑えられたバックパネル及びこれを用いた洗面台を提供する。【解決手段】洗面ボール７へ水を吐出させるシャワーヘッド９を着脱自在に支持するホルダー１２を、バックパネル１のパネル本体１１に一体成形することで、部品点数を減らし製造コストを抑える。【選択図】図３
2008055113.tif 000002
【特許請求の範囲】
【請求項１】
洗面ボールが設けられた洗面カウンターの後部に取り付けられるパネル本体と、このパネル本体に設けられて前記洗面ボールへ水を吐出させるシャワーヘッドを着脱自在に支持するホルダーとを備えるバックパネルにおいて、
前記ホルダーは前記パネル本体に一体成形されていることを特徴とするバックパネル。
【請求項２】
前記パネル本体の下部前側に、当該パネル本体が前記洗面カウンターに取り付けられた状態で当該パネル本体と前記洗面カウンターとの継目を手前側から隠す隠蔽部が形成されている請求項１に記載のバックパネル。
【請求項３】
床面に載置される下部キャビネットと、前記下部キャビネットの上部に配置され洗面ボールが設けられた洗面カウンターと、前記洗面カウンターの後部に取り付けられたバックパネルと、前記バックパネルに装着され前記洗面ボールへ水を吐出させるシャワーヘッドとを備えた洗面台において、
前記バックパネルが請求項１又は２に記載のバックパネルであることを特徴とする洗面台。
【請求項４】
前記シャワーヘッドは、当該シャワーヘッドが前記バックパネルに装着された状態で前記ホルダーを露出させないように覆うスカート部を有している請求項３に記載の洗面台。
【請求項５】
前記バックパネルの上側に、更にミラーキャビネットが設けられている請求項３又は４に記載の洗面台。
【請求項６】
壁部に、その正面側へ突出するとともに前記壁部を貫通する貫通孔が形成されたホルダーを設け、このホルダーの貫通孔にホースを引き出し自在に挿通させるとともに、このホースの先端に接続したシャワーヘッドを前記ホルダーに支持可能に構成した吐水器具の取付構造であって、
前記ホルダーは前記壁部に一体成形されていることを特徴とする吐水器具の取付構造。
【請求項７】
前記シャワーヘッドには、前記ホルダーを覆うためのスカート部が設けられていることを特徴とする請求項６に記載の吐水器具の取付構造。
【請求項８】
カウンターから立設した壁部に、請求項６又は７に記載の吐水器具の取付構造を用いて吐水器具を取り付けたことを特徴とする洗面台。
【発明の詳細な説明】
【技術分野】
【０００１】
本発明は、浴室に隣接する脱衣場等に設置される洗面台及びこの洗面台に用いるバックパネルに関する。
【背景技術】
【０００２】
従来、浴室に隣接する脱衣場等において洗面台が使用されている。このような洗面台として、床面に載置される下部キャビネットと、下部キャビネットの上部に配置された洗面カウンターと、洗面カウンターの後部に立設されたバックパネルと、バックパネルの上側に設けられたミラーキャビネットとで構成されたものが知られている。このうち、バックパネルには、水量や水温を調節するための水栓やこの水栓で調節された水を洗面ボールへ吐出させるシャワーヘッドが設けられている。また、同シャワーヘッドは、バックパネルに取り付けられたホルダーを介して着脱自在に設置されており、使用者は洗髪をする際に当該シャワーヘッドを持ち上げられるようになっている（例えば、特許文献１参照）。
【特許文献１】特開平１０−１５２８７１号公報
【発明の開示】
【発明が解決しようとする課題】
【０００３】
シャワーヘッドを着脱自在に支持する上記ホルダーは、バックパネルに形成された取付孔に嵌め込まれ、バックパネルの裏面に配置された取付部材を用いてネジで固定されている。このように、従来のバックパネルでは、別体とされたホルダーや、このホルダーを取り付けるための取付部材、ネジ等が必要とされるため、部品点数が多かった。そのため、洗面台の製造コストが嵩むという問題があった。
そこで、本発明は上記従来技術の問題点に鑑み、製造コストを抑えることができるバックパネル及びこれを用いた洗面台及び吐水器具の取付構造を提供することを目的とする。
【課題を解決するための手段】
【０００４】
上記目的を達成するため、本発明は次の技術的手段を講じた。
すなわち、本発明は、洗面ボールが設けられた洗面カウンターの後部に取り付けられるパネル本体と、このパネル本体に設けられて前記洗面ボールへ水を吐出させるシャワーヘッドを着脱自在に支持するホルダーとを備えるバックパネルにおいて、前記ホルダーは前記パネル本体に一体成形されていることを特徴とする。
本発明によれば、ホルダーがパネル本体に一体成形されているので、組み付け部品としての別体のホルダーやこれを取り付けるための取付部材、ビス等を必要とせず、部品点数を減らすことができる。更に、ホルダーとパネル本体との継目が無いため、清掃性を向上させることができる。
【０００５】
上記本発明において、前記パネル本体の下部前側に、当該パネル本体が前記洗面カウンターに取り付けられた状態で当該パネル本体と前記洗面カウンターとの継目を手前側から隠す隠蔽部が形成されていることが好ましい。
従来は、パネル本体と洗面カウンターの継目が手前側から見えていたため、デザイン性が低い上に汚れがその継目に溜りやすかった。そこで、上記隠蔽部を設けることでその継目が手前側から見えなくなってデザイン性が向上し、更に同継目に汚れが溜り難くなる。
【０００６】
また、本発明は、床面に載置される下部キャビネットと、前記下部キャビネットの上部に配置され洗面ボールが設けられた洗面カウンターと、前記洗面カウンターの後部に取り付けられたバックパネルと、前記バックパネルに装着され前記洗面ボールへ水を吐出させるシャワーヘッドとを備えた洗面台において、当該バックパネルが上記本発明に係るバックパネルであることを特徴とする。
本発明によれば、バックパネルに、組み付け部品としてのホルダーやこれを取り付けるための取付部材やビス等を必要としないことから、部品点数が減らされ、洗面台の製造コストを抑えることができる。更に、ホルダーとパネル本体との継目が無いため、清掃性を向上させることができる。また、バックパネルと洗面カウンターの継目が手前側から見えないようになっているため、デザイン性が向上し、同継目に汚れが溜りにくい。
【０００７】
上記本発明の洗面台において、前記シャワーヘッドは、当該シャワーヘッドが前記バックパネルに装着された状態で前記ホルダーを露出させないように覆うスカート部を有していることが好ましい。
この場合、シャワーヘッドがバックパネルに装着された状態でホルダーが露出しないので、デザイン性が向上し、汚れも溜りにくい。
【０００８】
上記本発明の洗面台において、前記バックパネルの上側に、更にミラーキャビネットを設けてもよい。
この場合、ミラーキャビネットが設けられた洗面台の製造コストが抑えられ、かつデザイン性が向上し、バックパネルと洗面カウンターの継目に汚れが溜りにくい。
【０００９】
また、本発明の吐水器具の取付構造では、壁部に、その正面側へ突出するとともに前記壁部を貫通する貫通孔が形成されたホルダーを設け、このホルダーの貫通孔にホースを引き出し自在に挿通させるとともに、このホースの先端に接続したシャワーヘッドを前記ホルダーに支持可能に構成した吐水器具の取付構造であって、前記ホルダーは前記壁部に一体成形されていることを特徴とする。
この場合、壁部とは別体のホルダーを壁部に取り付ける従来の構成とは異なり、壁部にホルダーを取り付ける作業が不要になる。このため、壁部への吐水器具の取り付けが容易になるとともに、取り付けのためのネジやナットが不要となる。また、壁部とホルダーとの間に隙間がないため、吐水器具や壁部にかかった湯水が壁部の背面側へ浸入することがない。また、吐水器具の取付部周辺に湯水が溜まらないため、前記取付部周辺に黴や水垢がつきにくい。
【００１０】
また、この吐水器具の取付構造では、前記シャワーヘッドには、前記ホルダーを覆うためのスカート部が設けられていることが好ましい。
この場合、シャワーヘッドをホルダーに支持させた状態においては、ホルダーがスカート部によって覆われる。このため、ホルダーやホースに洗剤等が付着しにくいため、吐水器具が汚れにくい。
【００１１】
そして、本発明の洗面台では、カウンターから立設した壁部に、前記吐水器具の取付構造を用いて吐水器具が取り付けられていることを特徴とする。
この場合、洗面台のカウンターから立設された壁部に取り付けられた吐水器具が、前述した吐水器具の取付構造と同様の発明の効果を奏する。
【発明の効果】
【００１２】
上記の通り本発明によれば、シャワーヘッドを着脱自在に支持するホルダーがパネル本体に一体成形され、組み付け部品としての別体のホルダーやこれを取付ける取付部材、ビス等を必要としないので、部品点数が減らされ製造コストを抑えることができる。
【発明を実施するための最良の形態】
【００１３】
以下、図面を参照しつつ本発明の実施形態を説明する。図１は、本発明の一実施形態に係るバックパネル１が用いられた洗面台２を示している。この洗面台２は、箱状の下部キャビネット３と、下部キャビネット３の上部に取り付けられた洗面カウンター４と、洗面カウンター４の後部に立設する横長のバックパネル１と、バックパネル１の上側に設けられたミラーキャビネット５により主構成されている。下部キャビネット３は、洗面具等の物品を収納するためのものであり、正面開口状のボックス本体３１と、このボックス本体３１の正面開口部に開閉自在に取り付けられたスライド扉３２とを有している。また、下部キャビネット３の下側には台輪６が設けられており、この設置台６を介して洗面台２が洗面室の所要箇所に設置される。
【００１４】
洗面カウンター４には洗面ボール７が一体成形されている。また、この洗面ボール７は洗面カウンター４の左右両端部に渡って大きくとられ使用者が使用し易いようになっている。また、洗面カウンター４の後部に設置されたバックパネル１には、流量や水温を調節する水栓８、及びこの水栓８で調節された水を吐出させるシャワーヘッド９が設けられている。水栓８には水道管から水を供給可能な図示しない給水管と、外部の給湯器から湯を供給可能な図示しない給湯管とが繋げられており、シャワーヘッド９から吐出された湯水は洗面ボール７で受けられて排水管７１で排出されるようになっている。
【００１５】
ミラーキャビネット５の前面には中央とその左右両側とで幅サイズの異なる三枚の縦長の鏡５１が設けられている。また、当該ミラーキャビネット５の内部には各鏡５１が扉となっている複数の図示しない収納ラックが設けられている。この収納ラックにより、鏡５１の裏側にタオルや歯ブラシ等を置いておくことができ利便性が高いものとなっている。また、鏡５１の上側に、左右両側部にわたる横長の照明具５２が設けられており、使用者が鏡５１の下部に配置されたスイッチ５３を操作することにより正面からの光で整髪作業等がし易いようになっている。
【００１６】
図２はバックパネル１の正面図であり、図３は洗面カウンター４にバックパネル１が取り付けられた状態を示す断面図である。洗面ボール７は、底部の排水口７２から手前側に迫り上がって洗面カウンター４と一体的となるデザインに形成されている。洗面カウンター４の後部には、バックパネル１を取り付けるための横長の取付面４１が形成されている。バックパネル１は、箱状のパネル本体１１と、シャワーヘッド９を着脱自在に支持するホルダー１２とを備えている。パネル本体１１は、前板部１１０とこの前板部１１０の左右両側に形成された側板部１１１と上板部１１２と下板部１１３とで構成されて後方に開口状となっている。このうち下板部１１３は、洗面カウンター４の取付面４１と略同じ寸法で形成されている。そして、当該下板部１１３が取付面４１に図示しないビス等で固定されて、バックパネル１が洗面カウンター４に取り付けられている。
【００１７】
また、図４の拡大図に示すように、パネル本体１１の下部前側の角には、当該パネル本体１１の左右両側部にわたって延びる隠蔽部１３が形成されている。この隠蔽部１３は、パネル本体１１と一体成形されたものであり、同パネル本体１１の下部前側の角から下方へ鍔状に突出している。この隠蔽部１３により、バックパネル１が洗面カウンター４に取り付けられた状態においてパネル本体１１の下板部１１３と取付面４１との継目１４が手前側から隠されている。継目１４が手前側から見えなくなることで、デザイン性が向上すると共に同継目１４に汚れが溜り難くなり衛生的である。なお、洗面カウンター４とバックパネル１を一体成形することで継目を無くすことが考えられるが、この場合には成形金型が高価となり、製造コストが高くなるという欠点がある。これに対し、本実施形態では洗面カウンター４とバックパネル１は、別々に成形されるのでこれらを一体成形するよりも金型が安い。そして、バックパネル１を洗面カウンター４に取り付けると同時に、パネル本体１１と一体成形された隠蔽部１３により継目１４が隠される。従って、別部品としての隠蔽部１３を後から組み付ける必要もなく、製造コストを抑えることができる。
【００１８】
図５（ａ）はシャワーヘッド９を支持するホルダー１２を手前側から見た図であり、図５（ｂ）は同ホルダー１２を裏側から見た図である。このホルダー１２は、パネル本体１１に一体成形されている。従って、別部品としてのホルダー１２をパネル本体１１に組み付ける必要がなくなっている。ホルダー１２は、全体として筒状に形成されており、手間側から奥側に向かって斜め下方へ傾いて前板部１１０を突き抜けている。つまり、ホルダー１２は、パネル本体１１の前板部１１０の前面から斜め上方へ突出する前半部１２１と、当該前板部１１０の裏面から斜め下方へ突出する後半部１２２とからなる。また、ホルダー１２の前半部１２１からパネル本体１１の前板部１１０にわたって補強部１５が形成されており当該ホルダー１２が補強されている。また、ホルダー１２の内周面１２ａには段差部１６等が形成されている。
【００１９】
図６はバックパネル１のホルダー１２にシャワーヘッド９が装着された状態の断面図であり、図７は同状態を側方から見た図である。シャワーヘッド９は、内部の各構成部材２０、これら各構成部材２０を収容する外側のケース２１、先端部に設けられた吐出口金具１８、散水板１９等を備えている。また、ホルダー１２の後半部１２２にはホースニップル２３等が固定され、シャワーヘッド９内に給水管に繋がるホース１７が導入されている。また、シャワーヘッド９とホルダー１２との間には、全体として筒状に形成されたブッシュ２２が設けられている。このブッシュ２２は、ホルダー１２に嵌め込まれ固定された状態となっている。そして、ブッシュ２２内にホース１７が移動自在に通された状態で、シャワーヘッド９がブッシュ２２及びホルダー１２を介してバックパネル１に着脱自在となっている。
【００２０】
シャワーヘッド９のケース２１は、先端に散水板１９等が配置されている本体部２１１と、この本体部２１１から後方へ向かって次第に拡径するスカート部２１２とからなる。スカート部２１２は、シャワーヘッド９がバックパネル１に装着された状態で、その端面２１２ａが前板部１１０の前面に近接するところまで延びている。当該シャワーヘッド９が装着されると、ホルダー１２がスカート部２１２により隠され露出しないようになっている。従来のシャワーヘッドでは、バックパネルに装着した状態でホルダーが露出していたのでデザイン性が低く、またシャワーヘッドとホルダーとの境目に汚れも溜り易かった。これに対して、本実施形態の同シャワーヘッド９とすれば、ホルダー１２が露出せず、かつシャワーヘッド９とホルダー１２との継目も隠されるため、従来よりもデザイン性が向上し、かつ汚れが溜まり難く衛生的である。
【００２１】
上記本実施形態の洗面台２とすれば、ホルダー１２がパネル本体１１に一体成形されているので、従来のように組み付け部品としての別体のホルダーやこれを取り付ける取付部材、ビス等を必要とせず、部品点数を減らすことができる。従って、部品コストが減少すると共に工程数も減ることから、洗面台２の製造コストを抑えることができる。更に、ホルダー１２とパネル本体１１との継目が無いため、清掃性を向上させることができる。
【００２２】
また、本発明の吐水器具の取付構造においては、前記パネル本体１１の他、洗面台２の上部に設置されているミラーキャビネット５の壁部、図示しない風呂場の壁部、又は同風呂カウンター等の壁部に前記ホルダー１２を設けてもよい。そして、このホルダー１２の貫通孔にホース１７を引き出し自在に挿通させるとともに、このホース１７の先端に接続されたシャワーヘッド９をホルダー１２に支持させ、このホルダー１２は前記壁部に一体成形されている。また、シャワーヘッド９には、前記ホルダー１２を覆うためのスカート部２１２が設けられており、そのスカート部２１２は、シャワーヘッド９がバックパネル１に装着された状態で、その端面２１２ａが前板部１１０の前面に近接するところまで延びている。当該シャワーヘッド９が装着されると、ホルダー１２がスカート部２１２により隠され露出しないようになっている。
なお、カウンターから立設した前記壁部に、前記吐水器具の取付構造を用いて吐水器具を取り付けることにより、ホルダー１２が前記壁部に一体成形され、従来のように組み付け部品としての別体のホルダーやこれを取り付ける取付部材、ビス等を必要とせず、部品点数を減らすことができる。従って、部品コストが減少すると共に工程数も減ることから、洗面台２の製造コストを抑えることができる。更に、ホルダー１２と前記壁部との継目が無いため、清掃性を向上させることができる。
【００２３】
なお、上記実施形態はすべて例示であって制限的なものではない。本発明の技術的範囲は特許請求の範囲によって規定され、そこに記載された構成と均等の範囲内のすべての変更も本発明の技術的範囲に含まれる。洗面カウンターやミラーキャビネット、バックパネルは、上記実施形態のものに限られずどのような形状のものであってもよい。また、バックパネルに形成されたホルダーの形状、シャワーヘッドの形状も上記実施形態のものに限定されない。また、洗面台にミラーキャビネットを設けずに、下部キャビネットと洗面カウンターだけで洗面台を構成してもよい。
【図面の簡単な説明】
【００２４】
【図１】洗面台の正面図と側面図である。
【図２】バックパネルの正面図である。
【図３】洗面カウンターにバックパネルが設置された状態の断面図である。
【図４】洗面カウンターとバックパネルの継目部分の拡大図である。
【図５】（ａ）はホルダーの正面図であり、（ｂ）はホルダーの背面図である。
【図６】ホルダーにシャワーヘッドが装着された状態の断面図である。
【図７】ホルダーにシャワーヘッドが装着された状態を側方から見た図である。
【符号の説明】
【００２５】
１    バックパネル１
２    洗面台
３    下部キャビネット
４    洗面カウンター
５    ミラーキャビネット
７    洗面ボール
９    シャワーヘッド
１１  パネル本体
１２  ホルダー
１３    隠蔽部
１４    継目
２１    ケース
２１２  スカート部
【図１】
2008055113.tif 000003
【図２】
2008055113.tif 000004
【図３】
2008055113.tif 000005
【図４】
2008055113.tif 000006
【図５】
2008055113.tif 000007
【図６】
2008055113.tif 000008
【図７】
2008055113.tif 000009